(57)【要約】【課題】システム手帳などに挟むことができるとともに、挟んだ状態でもどこに挟まれているか確認したり、システム手帳に挟まれている状態でも、スケジュールを把握することができる名刺を提供する。【解決手段】一端部にバインダー穴が形成された名刺であって、上記バインダー穴が形成された端部に直交する端部に、インデックス部が形成されている。【選択図】  図１
2010052243.tif 000002
【特許請求の範囲】
【請求項１】
一端部にバインダー穴が形成された名刺であって、
上記バインダー穴が形成された端部に直交する端部に、インデックス部が形成されている、
ことを特徴とする名刺。
【請求項２】
上記インデックス部は、名刺がバインダーに綴じられた際に、バインダーの用紙の端部から突出する、
請求項１記載の名刺。
【請求項３】
上記バインダーは、スケジュールを書き込むシステム手帳であって、
上記バインダー穴は、上記名刺がシステム手帳に閉じられた際に、スケジュール書き込み欄とは反対側に名刺の表面がくるように、名刺の一端部に形成されている、
請求項１又は２記載の名刺。
【請求項４】
上記名刺は、着色されている、
請求項１〜３のいずれかに記載の名刺。
【請求項５】
上記インデックス部分は、上記インデックスが形成されている端部の幅方向に沿って、形成されている箇所が異なっている、
請求項１〜４のいずれかに記載の名刺。
【請求項６】
上記インデックス部には、当該インデックス部が形成されている端部の幅方向と直交する方向に所定の間隔をおいてミシン目が形成されている、
請求項１〜５のいずれかに記載の名刺。
【発明の詳細な説明】
【技術分野】
【０００１】
本発明は、名刺に関するものであり、特にシステム手帳などのバインダーに挟むことで予定のリマインド等に好適な名刺に関する。
【背景技術】
【０００２】
名刺は初対面の挨拶時に自分の住所や氏名を相手に示す手段とし重要なものであり、仕事をする上では必須のアイテムとなっている。特に、営業などでは、いかに自分の名前や会社を覚えていてもらうかが重要であり、そのために様々な色を使ったり、サイズが通常よりも小さかったり、また大きかったりなどの特徴的な名刺がある。
【０００３】
一方で、名刺をもらった相手は、たくさんある名刺の中から、連絡を取りたい相手の名刺を探す必要がある。そのために、もらった名刺をなくさないように整理して保存しておく必要がある。
【０００４】
このような名刺の一例としては、名刺札にバインダー穴を設けて、バインダーできる名刺が提案されている。この名刺は、紙や薄い木、皮革、金属その他いずれの素材の名刺の短辺部の一方側端部位に、バインダー穴を２つ形成する構成となっている（特許文献１参照）。このような名刺によれば、バインダーに名刺を挟み込んでおき、名刺を保存することができる。
【０００５】
【特許文献１】実開平５−９５７７５公報
【発明の開示】
【発明が解決しようとする課題】
【０００６】
しかし、従来の名刺では、バインダーやシステム手帳に挟んで管理することができても、バインダーやシステム手帳に挟んで閉まってしまうと、名刺をどこに挟んだのか分からなくなってしまうという問題があった。
【０００７】
本発明は、上述の問題を解決するためになされたものであって、システム手帳などに挟むことができるとともに、挟んだ状態でもどこに挟まれているか確認したり、システム手帳に挟まれている状態でも、スケジュールを把握することができる名刺を提供することを目的とする。
【課題を解決するための手段】
【０００８】
上記目的を達成するための、本発明に係る名刺は、一端部にバインダー穴が形成された名刺であって、上記バインダー穴が形成された端部に直交する端部に、インデックス部が形成されていることを特徴とする。
【０００９】
上記インデックス部は、名刺がバインダーに綴じられた際に、バインダーの用紙の端部から突出してもよい。
【００１０】
上記バインダーは、スケジュールを書き込むシステム手帳であって、上記バインダー穴は、上記名刺がシステム手帳に閉じられた際に、スケジュール書き込み欄とは反対側に名刺の表面がくるように、名刺の一端部に形成されていてもよい。
【００１１】
上記名刺は、着色されていてもよい。
上記インデックス部分は、上記インデックスが形成されている端部の幅方向に沿って、形成されている箇所が異なっていてもよい。
【００１２】
上記インデックス部には、当該インデックス部が形成されている端部の幅方向と直交する方向に所定の間隔をおいてミシン目が形成されていてもよい。
【発明の効果】
【００１３】
本発明にかかる名刺によれば、スケジュールを確認する場合のインデックスとなり、特に、システム手帳などを開かなくとも、大体いつごろに誰とスケジュールが入っているかを把握することができる。
また、名刺をもらった相手が、手帳に挟んで保管することで、名刺を見る機会が多くなり、アピール度を高くすることができる、営業効果などを高めることができる。
【発明を実施するための最良の形態】
【００１４】
次に、本発明に係る第一の実施の形態について、図を参照して説明する。
＜第１の実施形態＞
図１に本発明にかかる名刺の一例を示す。図１に示した名刺１は、長方形状に形成されており、２つある長辺部１ａの１方の長辺部１ａにバインダー穴２が形成されている。
この例では、バインダー穴２は、名刺１の表面（名刺を渡した人の氏名や会社名などが記載され、相手に渡す場合に表となる面）を正面に向けた場合に、向かって右側の長辺部１ａにのみバインダー穴２が形成されている。つまり、図２に示すように名刺１をシステム手帳Ｓに綴じ込んで開いた場合に、システム手帳の左側に名刺を配置したときに、名刺の表が上になった状態で開くことができ、システムの見開の右側にはスケジュール書き込みページを開くことができるようになっている。
【００１５】
これにより、名刺の正面部分がシステム手帳のスケジュール部分と見開きになることで、スケジュール帳にこれから会う相手の連絡先などの詳細な情報を書き写さなくとも、名刺に記載された連絡先を使うことができる。
また、システム手帳を閉じた状態でも、予定が入っている部分には名刺が挟まれていることで、どの時間帯に誰とアポイントが入っているかを確認することができる。
なお、このバインダー穴２の形状は丸でも四角形でもその形状は限定されない。またバインダー穴２が形成される個数（１個以上であればよい）や、形成される位置及び穴と穴の間隔は任意である。
【００１６】
また、名刺１の短辺部１ｂのうち、名刺１がシステム手帳に綴じ込まれた際に下側に位置する短辺部１ｂには、インデックス部３が名刺１と一体に形成されている。
この例では、インデックス部３の幅は短辺部１ｂの幅よりも少し短く形成されている。
【００１７】
この名刺１の使い方について説明する。
上述の名刺１をもらった相手側は、自分のシステム手帳のリングホルダーに、名刺１のバインダー穴２を通すことで名刺を挟んで綴じ込む。
その際、システム手帳は、名刺よりも幅（縦の幅）が大きいため、名刺をシステム手帳の下側のリングホルダーに綴じるととともに、インデックス部３がシステム手帳の用紙よりも下側に突出するように綴じ込む。
これにより、インデックス部３が用紙から突出した状態となることで、システム手帳を閉じた状態でも、インデックス部３に記載された内容を確認することができる。
そして、このインデックス部３にスケジュール（その人と合う日時、場所、名前など）を記入しておくことで、システム手帳を開かなくともスケジュールを確認することができる。
さらに、名刺１に赤、青、緑、黄色などをつけておくことで、システム手帳に綴じた状態でも、その名刺１がどこに挟まれているのか色で見分けることができるし、インデックス部３も同じように色をつけておくことで、インデックス部３を容易に見分けることができる。
【００１８】
なお、システム手帳に綴じ込む際、システム手帳の下側ではなく、上側からインデックス部３が突出するように綴じ込んでもよい。
【００１９】
＜第２の実施形態＞
図３に示すように、このインデックス部３を形成する位置を、少しずつ短辺部１ｂに沿ってずらして形成し、名刺ごとに変えても良い。これにより、システム手帳に挟まれた場合に、インデックス部３の位置が少しずつズレるため、インデックスが見易くなる。
【００２０】
＜第３の実施形態＞
図４に示すように、インデックス部３に短辺部１ｂの幅方向に対して直交するように、ミシン目４を形成してもよい。
これにより、インデックス部３が重なった場合には、ミシン目４に沿ってインデックス部３を切り取ることにより、重なったインデックス部３を見易くすることができる。
このようにミシン目を入れることで切ったり折ったり変型させることができる。
【００２１】
＜第４の実施形態＞
また、上述の各実施形態に加えて、名刺１又は／及びインデックス部３にＵＲＬなどの情報を記載しても良い。この場合、ＵＲＬを二次元バーコード化して表示し、携帯電話などで簡単に読み込めるようにしてもよい。
【００２２】
＜第５の実施形態＞
図５に示すように、最初、名刺の穴２０をミシン目で形成しておき、バインダー等のリングに適合する位置の任意の穴２０だけ、ミシン目を取って穴を開けることもできる。
【００２３】
＜実施形態６＞
名刺の一端にインデックスがついている。例えば、システム手帳に綴じた時にメモ紙からはみ出して目立つようになっており、このインデックス部分に、図６に示すように五十音や、図７に示すように月ごとのインデックスを付けてもよい。また、図８に示すようにこの部分に付箋などのシール３０を付けることもできる。
【００２４】
＜実施形態７＞
また穴の形を図９に示すように形成してもよい。図９の例では、バインダー用の穴２に連通してバインダーに取り付け端側に開口２００が形成されている例である。
この開口２００の幅は、穴２の幅（丸穴の場合は直径）よりも狭く形成されている。これにより、バインダーをいちいち開けなくとも、バインダーを閉じた状態で、名刺１を開口２００から差し込むことで、穴２にバインダーを止めることができる。
これにより、例えば、名刺をもらったその場で、簡単にシステム手帳などのバインダーに名刺を挟むことができる。
【００２５】
＜その他の変形例＞
上述の名刺に加えて、名刺１に、広告、お知らせ、カレンダー、スタンプ（例えば、スタンプ台紙となっており、その店等に行くたびにスタンプを押してもらう）、その会社のサービスポイント（例えば、１枚１ポイントなど）、割引情報などを印刷等することもできる。
【００２６】
名刺１のサイズは、通常の名刺サイズが基本となるが、規定サイズ（Ａ６版やＢ６〜Ｂ４版、Ａ３版など）をはじめにバインダーのサイズによりカスタマイズすることもできる。
そして、この名刺を保管するバインダーとしては、システム手帳だけでなく、携帯しているバインダー状のもの、例えば、通常の名刺入れ、用途に応じた特製カードケースなどに保管することもできる。
また、綴じ穴は、バインダーに保存が出来るように名刺の一端にいくつかの穴が開いていればよい。この穴の形は丸、四角形などいかなる形でもよく限定されない。
また、色やデザインは限定されない、
【００２７】
なお、上述の実施形態は、名刺であったが、名刺に代えて、商品券やプリペイドカードなどの金券、インターネットショッピング・流通管理・セキュリティなどにも活用することもできる。
また、上述の名刺の素材は、紙だけでなく、プラスチック、木材、金属、磁気カード等であってもよく、その素材は限定されない。
また、素材と素材を貼り合わせた間に、ＩＣチップ、極小のペン、定規などを保管できるようにしてもよい。
【図面の簡単な説明】
【００２８】
【図１】本発明の第１の実施形態に係る名刺の斜視図。
【図２】第１の実施形態に係る名刺の使用状態を示した斜視図。
【図３】本発明の第２の実施形態に係る名刺の斜視図。
【図４】本発明の第３の実施形態に係る名刺の斜視図。
【図５】本発明の第５の実施形態に係る名刺の正面図。
【図６】本発明の第６の実施形態に係る名刺の正面図。
【図７】本発明の第６の実施形態に係る名刺の正面図。
【図８】本発明の第６の実施形態に係る名刺の正面図。
【図９】本発明の第７の実施形態に係る名刺の正面図。
【符号の説明】
【００２９】
１        名刺
１ａ      長辺部
１ｂ      短辺部
２        バインダー穴
３        インデックス部
４        ミシン目
【図１】
2010052243.tif 000003
【図２】
2010052243.tif 000004
【図３】
2010052243.tif 000005
【図４】
2010052243.tif 000006
【図５】
2010052243.tif 000007
【図６】
2010052243.tif 000008
【図７】
2010052243.tif 000009
【図８】
2010052243.tif 000010
【図９】
2010052243.tif 000011
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
名刺の縦横の幅よりも大きな幅を有するバインダーに綴じられる名刺であって、
上記名刺の一端部に形成されたバインダー穴と、
上記バインダー穴が形成された端部に直交する端部であって、上記バインダーの綴じられた場合に上記バインダーの上端また下端から突出する位置に、当該インデックス部が形成されている端部の幅方向と直交する方向に所定の間隔をおいてミシン目が形成されたインデックスと、が形成されており、
上記バインダー穴は、上記バインダーのリングに適合する位置にミシン目により形成されており、上記名刺をバインダーに綴じる際に上記リングに適合する位置のミシン目を取って開けることで穴が形成される、
ことを特徴とする名刺。
【請求項２】
上記バインダーは、スケジュールを書き込むシステム手帳であって、
上記バインダー穴は、上記名刺がシステム手帳に閉じられた際に、スケジュール書き込み欄とは反対側に名刺の表面がくるように、名刺の一端部に形成されている、
請求項１記載の名刺。
【請求項３】
上記名刺は、着色されている、
請求項１又は２記載の名刺。
【請求項４】
上記インデックス部分は、上記インデックスが形成されている端部の幅方向に沿って、上記名刺がバインダーに綴じられた際に、上記インデックスが異なる個所に形成されている箇所が異なっている、
請求項１〜３のいずれかに記載の名刺。